(57)【要約】【課題】  窓ガラスを嵌める為の窓縁であって、外観意匠の良好な窓縁の提供。【解決手段】  窓縁は両側に嵌入溝５，５を有す窓縁本体１と、該窓縁本体１の一方側には固定縁２を設け、他方側には可動縁３を有すと共に該可動縁３は窓縁本体１の側端に設けた軟質樹脂製の継手部４を介して開閉可能としている。そして上記固定縁先端及び可動縁先端にはガラス押え６，６を形成し、又、可動縁先端部にはツメ９を先端に形成した係止片８を延ばし、窓縁本体側には係止片先端ツメ９が係止して可動縁３を固定する為の別のツメ１１を設けている。【選択図】    図１
2005336797.tif 000002
【特許請求の範囲】
【請求項１】
窓ガラスを嵌める為の窓縁において、該窓縁は両側に取付け部を有す窓縁本体と、該窓縁本体の一方側には固定縁を設け、他方側には可動縁を有すと共に該可動縁は窓縁本体の側端に設けた軟質樹脂製の継手部を介して開閉可能とし、そして上記固定縁先端及び可動縁先端にはガラス押えを形成し、又、可動縁先端部にはツメを先端に形成した係止片を延ばし、窓縁本体側には係止片先端ツメが係止して可動縁を固定する為の別のツメを設けたことを特徴とする窓縁。
【請求項２】
上記窓縁本体両側に設けた取付け部として、表面材の先端縁が嵌る嵌入溝とした請求項１記載の窓縁。
【請求項３】
引戸やドアなどのパネルの一部に設けるガラス窓の窓縁に窓ガラスを嵌める為の窓ガラスの取付け構造において、窓縁は両側に取付け部を有す窓縁本体と、該窓縁本体の一方側には固定縁を設け、他方側には可動縁を有すと共に該可動縁は窓縁本体の側端に設けた軟質樹脂製の継手部を介して開閉可能とし、そして上記固定縁先端及び可動縁先端にはガラス押えを形成し、又、可動縁先端部にはツメを先端に形成した係止片を延ばし、窓縁本体側には係止片先端ツメが係止して可動縁を固定する為の別のツメを設け、上記固定縁の先端ガラス押えと可動縁の先端ガラス押えの間に形成したガラス溝に窓ガラスを嵌めて挟持したことを特徴とする窓ガラスの取付け構造。
【発明の詳細な説明】
【技術分野】
【０００１】
本発明はガラス窓縁が細くなって外観がよくなると共に、窓ガラスの取付けも簡単に行うことが出来る窓縁及び窓ガラスの取付け構造に関するものである。
【背景技術】
【０００２】
図３(ａ)は引戸(イ)の外観を示し、同図の(ｂ)は(ａ)におけるＡ−Ａ断面拡大図である。引戸(イ)には窓ガラス(ロ)が設けられ、窓ガラスは引戸(イ)の中央部に形成した開口に嵌っている。この場合、開口には窓縁(ハ)が取付けられると共に、窓縁(ハ)の溝にガスケット(ニ)を介して取付けられている。
【０００３】
図４は前記図３(ｂ)の部分拡大図であり、窓縁(ハ)には脚(ホ)を設けると共に脚(ホ)には嵌入溝(ヘ)を有し、引戸表面に貼り合わせている表面材(ト)の縁が嵌入溝(ヘ)に嵌入して窓縁(ハ)が取付けられている。そして、開口の四方に取付けた窓縁(ハ)、(ハ)・・にはガスケット(ニ)を溝(チ)に嵌めて窓ガラス(ロ)が取着される。
【０００４】
ところで、窓縁(ハ)を表面材(ト)の先端縁が嵌るように、脚(ホ)には嵌入溝(ヘ)を有し、その為に、脚(ホ)の長さ(Ａ)はある程度必要になる。そして、該窓縁(ハ)からガスケット(ニ)の幅(Ｂ)が窓ガラス(ロ)側へはみ出すことになる。窓ガラス(ロ)の縁は窓縁(ハ)に設けている溝(チ)に嵌ることはなく、該溝(チ)に取付けられるガスケット(ニ)を介在して窓ガラス(ロ)を取付けることが必要であり、その為には該ガスケット幅(Ｂ)の大きさが必要と成る。
【０００５】
そこで、この長さ(Ａ)の脚(ホ)及び幅(Ｂ)のガスケット(ニ)が組合されて窓ガラス(ロ)の周囲に存在することに成り、その為に窓縁(ハ)の外観ひいては引戸(イ)の外観を損なう。又、窓ガラス(ロ)を取付ける際には窓縁(ハ)の溝(チ)にガスケット(ニ)を嵌めて行うことが必要と成り、作業的には面倒であると共に熟練を要す。
【０００６】
特開２０００−２４０３６１号に係る「窓枠の構造」は、扉の広幅面に当るフランジが備えられた一対の外枠材は扉の厚さ方向に沿っての挿入によって窓穴の内面に取付けられている。ガラス板を挟む内枠材は、ガラス板の表面及び裏面に沿った方向からの嵌め込みにより、両外枠材に取付けられている。外枠材と内枠材との嵌め込み方向が異なる為、堅固な構造と成る。しかし、両外枠材と両内枠材の組合せにてガラス板を挟み込むといった複雑な構造であり、必然的に取付け作業は面倒となる。又、引戸正面から見た際のガラス板周囲の窓縁の幅寸法は大きくて、外観は好ましくない。
【０００７】
特開２０００−３０３７４７号に係る「嵌殺し窓用透明板取付け装置」は、方形開口各辺の縁部には、両面側に溝形押縁取付用部材を設けているが、前記特開２０００−２４０３６１号に係る「窓枠の構造」に場合と同じく、引戸正面から見た際のガラス板周囲の窓縁の幅寸法は大きくて、外観は好ましくない。
【特許文献１】特開２０００−２４０３６１号に係る「窓枠の構造」
【特許文献２】特開２０００−３０３７４７号に係る「嵌殺し窓用透明板取付け装置」
【発明の開示】
【発明が解決しようとする課題】
【０００８】
このように、従来の窓縁には上記のごとき問題がある。本発明が解決しようとする課題はこれら問題点であり、外観意匠が良好なようにガスケットを用いず、又窓ガラスの取り付けが簡単で部品点数の少ない窓縁及び窓ガラスの取付け構造を提供する。
【課題を解決するための手段】
【０００９】
本発明に係る窓縁は両側にパネルの表面材先端縁を挟み込むことが出来る嵌入溝を有し、中央部には窓ガラスの縁が嵌るガラス溝を形成している。そして、窓縁は固定縁と可動縁を有し、これら固定縁と可動縁の間にガラス溝を形成している。固定縁の先端及び可動縁の先端にはガラス押えを設け、可動縁は軟質ゴムで構成した継手部を介して開閉可能と成っている。
【００１０】
又、可動縁の先端部には係止片を設け、窓縁本体に設けているツメに該係止片が係止して固定される。すなわち、可動縁を閉じることで固定縁との間に窓ガラスを挟んで固定することが出来る。従って、可動縁を開くならば、ガラス溝はオープンと成って窓ガラスを取外すことが出来る。
【００１１】
ところで、この窓縁は長方形開口の縦横四方内面に取付ける場合には、４本の窓縁が用いられる。しかしコーナー部が湾曲している場合であれば、１本の窓縁を内面に沿わせて取付けることが可能である。同じように、円形窓縁の場合も１本の窓縁を円形開口の内周面に沿わせて取付けることが出来る。ここで、窓縁の取付け手段は、表面材先端が嵌る嵌入溝に限定しない。
【発明の効果】
【００１２】
本発明に係る窓縁は窓縁本体に固定縁と可動縁を有し、可動縁は開閉可能と成っている。従って、可動縁を開いた状態で窓ガラスを嵌めることが出来、その後で可動縁を閉じるならば、窓ガラスは固定縁先端のガラス押えと可動縁先端のガラス押えにて挟まれる。従って、窓ガラスの取付け作業は至って簡単と成り、しかも固定縁と可動縁に挟まれた窓ガラスは安定する。
【００１３】
そして、ガラス押えは固定縁及び可動縁から大きく突出することはなく、窓ガラスの周囲には窓縁のみと成り、外観意匠は向上する。窓ガラスは可動縁を開くことでガラス溝の底まで嵌ることが出来、固定縁及び可動縁から大きく突出するガラス押さえを設ける必要はない。
【実施例】
【００１４】
図１は本発明に係る窓縁を示す実施例である。該窓縁は窓縁本体１の左側には固定縁２を有し、右側には可動縁３を有している。そして、可動縁３は窓縁本体１の右側端に設けている軟質樹脂製の継手部４を介して開閉可能と成っている。窓縁は窓ガラス１４が嵌る開口１３の内面に取付けられることになるが、同図に示す窓縁の場合、窓縁本体１の両側には嵌入溝５，５を形成している。
【００１５】
この嵌入溝５，５には引戸パネル１２の表面材１５，１５の先端縁が嵌入して該窓縁が取付けられる。勿論、開口１３に取付ける為の手段は、上記嵌入溝５，５に限定するものではなく、パネル形態に応じて適した取付け方法が採用される。そして、固定縁２の先端にはガラス押え６が設けられ、同じく可動縁３の先端にもガラス押え６を有している。
【００１６】
両ガラス押え６，６の間にはガラス溝７が形成され、このガラス溝７に窓ガラス１４が嵌った状態で両ガラス押え６，６にて挟まれる。可動縁３の先端部には係止片８が下側へ延び、該係止片８の先端にはツメ９を形成している。そして、窓縁本体１の中央部には凹部１０が設けられ、該凹部１０の入口にはツメ１１を突出して設けている。
【００１７】
そこで、可動縁３を閉じる場合、係止片８の先端部は凹部１０に嵌り、先端のツメ９は凹部入口に形成しているツメ１１に係止して止着される。従って、可動縁３は固定され、ガラス溝７に嵌る窓ガラス１４が外れないように取付けられる。窓ガラス１４にはガラス押え６，６が当接してガタ付かないようになる。
【００１８】
図２は前記図１の窓縁を引戸パネル１２に設けた開口１３に取付け、そして該窓縁に窓ガラス１４を嵌めた場合を示している。引戸パネル１２の両面には表面材１５，１５が貼着されていて、この表面材１５，１５は開口１３を形成する為に切り抜かれている。そして、表面材１５，１５の開口側先端縁が窓縁に設けている嵌入溝５，５に嵌ることで取着されている。
【００１９】
窓縁は長方形をした開口１３の上下及び両側に取着されて枠組みされ、この窓縁の可動縁３を開いた状態で窓ガラス１４が嵌められる。可動縁３は継手部４を介して開閉可能であり、上下及び両側の窓縁の可動縁３，３・・を開くことで、ガラス溝底に当接又は近接する大きさ窓ガラス１４を嵌めることが出来る。そして、この窓ガラス１４をガラス溝７に嵌めたところで、可動縁３を閉じ、係止片８のツメ９を窓縁本体１に設けたツメ１１に係止して固定する。固定縁先端及び可動縁先端に設けているガラス押え６，６が窓ガラス面に当接して押圧し、窓ガラス１４はガタ付くことなく安定する。
【００２０】
ところで、引戸に形成されるガラス窓の形状は一般に角張った長方形であるが、各コーナーに丸みを形成したガラス窓とすることも出来る。又完全な円形のガラス窓とする場合も可能である。このような形状のガラス窓とする場合、本発明の窓縁は硬質樹脂でなく、半硬質樹脂を用いることで湾曲させて取付けることが可能である。従って、円形ガラス窓の場合、１本の窓縁を湾曲させて開口に取着し、可動縁３を開いたところで円形窓ガラスを嵌め、可動縁３を閉じて固定することが出来る。
【００２１】
同じく、コーナー部分を丸めた長方形のガラス窓の場合も同じように１本の窓縁を取着することが可能である。ところで、図１の窓縁では、開口に取着する方法とし、表面材１５，１５が嵌入する嵌入溝５，５を窓縁本体１の両側に形成しているが、必ずしもこの場合に限定するものではない。
【図面の簡単な説明】
【００２２】
【図１】本発明に係る窓縁。
【図２】本発明に係る窓ガラスの取付け構造。
【図３】(ａ)は引戸外観、(ｂ)はＡ−Ａ断面拡大図。
【図４】図３(ｂ)の部分拡大図。
【符号の説明】
【００２３】
１  窓縁本体
２  固定縁
３  可動縁
４  継手部
５  嵌入溝
６  ガラス押え
７  ガラス溝
８  係止片
９  ツメ
10  凹部
11  ツメ
12  引戸パネル
13  開口
14  窓ガラス
15  表面材
【図１】
2005336797.tif 000003
【図２】
2005336797.tif 000004
【図３】
2005336797.tif 000005
【図４】
2005336797.tif 000006